(57)【要約】【課題】  極めて簡単で安価に製作でき、かつ、消しゴムの固定状態が１日程度の字消し作業に耐え得る簡易鉛筆が望まれている。【解決手段】  簡易鉛筆１は、本体軸部２の下部に鉛筆芯３を植設した簡易鉛筆であって、本体軸部２の上面６に軸体７を立設し、軸体７に軸径方向外向きに突出した返し突起８を設け、消しゴム４の下面１０に形成した竪穴１１に軸体７および返し突起８を挿入して消しゴム４を本体軸部２に固定したものである。この簡易鉛筆１は、返し突起８付きの軸体７を消しゴム４の竪穴１１に挿入するだけで出来上がる。従って、極めて簡単に製作でき、安価に提供することができる。加えて、軸体７の返し突起８が消しゴム４の竪穴１１の内周面に掛かって消しゴム４を本体軸部２に固定するので、十分な固定状態を得ることができる。【選択図】      図２
2005131793.tif 000002
【特許請求の範囲】
【請求項１】
本体軸部の下部に鉛筆芯を植設した簡易鉛筆であって、本体軸部の上面に軸体を立設し、当該軸体に軸径方向外向きに突出した返し突起を設け、消しゴムの下面に形成した竪穴に前記軸体および返し突起を挿入して消しゴムを本体軸部に固定したことを特徴とする簡易鉛筆。
【発明の詳細な説明】
【技術分野】
【０００１】
本発明は、例えばマークシートなどの記入に使用される使い捨てタイプの簡易鉛筆に関するものである。
【背景技術】
【０００２】
一般に、競輪、競馬、競艇、サッカートトカルチョなどの投票用紙として、マークシートが使用されている。これらのマークシートは、それぞれの会場で配布される簡易鉛筆を用いて投票内容が記入される。このような簡易鉛筆を図６に示す。図に示した簡易鉛筆５１は、上部にクリップ５を有する合成樹脂製の本体軸部２Ａと、本体軸部２Ａの下端に植え込まれた短い鉛筆芯３とから成っている。
【０００３】
また、上記したマークシートの一例を図７に示す。図示のマークシートＳは競輪投票用であり、簡易鉛筆の鉛筆芯で該当欄に欄からはみ出さないように縦線マークを記入するのが正しいとされている。例えば、一つ目の投票欄Ｐ１において、利用者は１着が１番車、２着が５番車であると予想し、この内容で５千円分の車券を買うつもりでいた。しかしながら、誤って３千円（記入ミスＭ１）の欄も簡易鉛筆５１で記入してしまったのである。また、二つ目の投票欄Ｐ２においては、１着が４番車、２着が３番車であると予想し、それぞれの該当欄に記入したのであるが、横線マーク（記入ミスＭ２）やチェックマーク（記入ミスＭ３）は無効とされる。
このような場合、記入ミスの部分を消しゴムで消して書き直せばよいのであるが、消しゴムを持参していない人がほとんどである。そのため、上記のような記入ミスＭ１，Ｍ２，Ｍ３をすると、ミスした時点でマークシートＳを捨てなければならない。かかるマークシートＳは上質紙でできており、むやみやたらと捨てられるのは如何にももったいない。また、せっかく途中まで正しく記入していたにも拘わらず一度でも書き間違うと、別のマークシートに初めから書き直さなければならず二度手間になる。
【０００４】
そこで、マークシート用の消しゴム付き鉛筆が下記の特許文献１に記載されている。この鉛筆は、鉛筆芯の一端に鉛筆芯と同径の芯状消しゴムを連結し、これらの鉛筆芯および芯状消しゴムを木製の本体軸部で被包したものである。
ところが、この鉛筆は、初めて使用するときや鉛筆芯または消しゴムの露出部分が短くなったときに本体軸部の先端および鉛筆芯を削る作業を必要とし、鉛筆削り器やナイフを手元に用意しなければならない。加えて、上記のように構成が複雑であり製作費が高くつくため、繰り返し使用する用途には適するが、使い捨ての簡易鉛筆としては不向きである。
【０００５】
【特許文献１】実開昭５９−５９３８５号公報
【０００６】
他方、本体軸部の下端に鉛筆芯を植設し、本体軸部の上面に形成した装着用穴に消しゴムを内装し、穴内面との摩擦嵌合または接着剤により消しゴムを固定したゴルフティーが下記の特許文献２に記載されている。これは、ゴルフボールを載せるティーを主用途とするものであるが、ゴルフスコアなどに記入する鉛筆機能も併有している。また、消しゴムで記入内容を消せるようになっている。
【０００７】
【特許文献２】特表平８−５１１４５５号公報（図１）
【発明の開示】
【発明が解決しようとする課題】
【０００８】
ところが、上記の特許文献２に記載された技術において、摩擦嵌合により消しゴムを固定した場合は保持力が弱すぎて、字消し動作の際に消しゴムが装着用穴から簡単に外れることがある。一方、接着剤で固定する場合は、装着用穴の周囲や消しゴムに接着剤が付着して汚れやすく、商品価値を損なうおそれがある。そのため、接着剤で汚れないように、緻密な作業が要求され作業性が低下するという問題もある。
【０００９】
本発明は、上記した従来の問題点に鑑みてなされたものであって、極めて簡単で安価に製作でき、かつ、消しゴムの固定状態が１日程度の字消し作業に耐え得る簡易鉛筆の提供を目的とする。
【課題を解決するための手段】
【００１０】
上記目的を達成するために、本発明に係る簡易鉛筆は、本体軸部の下部に鉛筆芯を植設した簡易鉛筆であって、本体軸部の上面に軸体を立設し、当該軸体に軸径方向外向きに突出した返し突起を設け、消しゴムの下面に形成した竪穴に前記軸体および返し突起を挿入して消しゴムを本体軸部に固定した構成にしてある。
【発明の効果】
【００１１】
本発明に係る簡易鉛筆は、返し突起付きの軸体を消しゴムの竪穴に挿入するだけで出来上がる。従って、極めて簡単に製作でき、安価に提供することができる。加えて、軸体の返し突起が消しゴムの竪穴の内周面に掛かって消しゴムを本体軸部に固定するので、１日程度の字消し作業に耐えるに十分な固定状態を得ることができる。
【発明を実施するための最良の形態】
【００１２】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る簡易鉛筆を示す正面図、図２は前記簡易鉛筆の側断面図、図３は前記簡易鉛筆の組立斜視図である。但し、図６に示した従来の簡易鉛筆と同一の構成要素には、同一の符号を付すとともにその詳細な説明を省略することがある。
各図において、この実施形態に係る簡易鉛筆１は、例えば合成樹脂で形成された本体軸部２と、本体軸部２の下端に植設された鉛筆芯３と、本体軸部２の上面６に取り付けられた消しゴム４とから構成されている。
【００１３】
本体軸部２は上端部が平断面円形状で下部が平断面半円状に形成され、上部にクリップ５が分岐して設けられている。本体軸部２の上面６は平たんに形成され、この上面６のほぼ中央部に軸体７が立設されている。軸体７の先端部９は上に細い先細状に形成されている。また、軸体７には軸径方向外向きで斜め下向きに突出した返し突起８が形成されている。返し突起８は先端部９から続く傾斜面を有し周方向に連続した傘状に形成されている。これらの本体軸部２、クリップ５、上面６、軸体７、返し突起８、および先端部９は所定の成型金型（図示省略）に溶融合成樹脂原料が注入されることにより全てが一体に形成される。鉛筆芯３は前記した成型金型の端部に仮止めされた状態で溶融合成樹脂原料が金型内に注入されることにより、その上部が本体軸部２に植え込まれる。
【００１４】
消しゴム４の下面１０には、上向きに陥入した竪穴１１が形成されている。竪穴１１はほぼ円柱状の空間形状となっている。この消しゴム４も所定の成型金型（図示省略）にゴム原料が注入されて形成される。竪穴１１の内径は、本体軸部２の軸体７を挿入可能で、かつ、竪穴１１の内周面が軸体７に密着して挟持できるような径、すなわち消しゴム４の弾性変形を考慮して軸体７よりもいくぶん小さな内径に設定されている。
【００１５】
前記した消しゴム４を本体軸部２に取り付ける際は、消しゴム４の竪穴１１に本体軸部２の軸体７を差し込むだけで簡単に出来上がる（図３参照）。このとき、返し突起８および軸体７は竪穴１１を外向きに押し広げて消しゴム４を弾性変形させる。そのうち、消しゴム４はその下面１０が本体軸部２の上面６に当接して止まる。このとき、返し突起８よりも下方位置の竪穴１１の内周面が軸体７を締め付ける。この締め付け部分に返し突起８の外端８ａが乗り掛かった状態となって、消しゴム４が本体軸部２に固定され抜け落ちが防止されるのである。すなわち、簡易鉛筆１は簡単な構成により極めて安価に製作されるので、使い捨てタイプの鉛筆として好適である。因みに、本例の簡易鉛筆１は例えば全長を１００ｍｍとし、本体軸部２下端からの鉛筆芯３の突出長を６ｍｍにしてある。但し、本発明の簡易鉛筆は前記した寸法、形状に限るものでない。
【００１６】
上記した構成の簡易鉛筆１は競輪場などの窓口に置いてあり、持ち帰り自由に使用できるようになっている。そこで、利用者は投票用のマークシートの所定欄を鉛筆芯３で塗りつぶすことにより、所望の投票内容を記入していく。そして、記入ミスをしたときは、記入ミスの部分を消しゴム４で擦って消す。その場合、消しゴム４は返し突起８および軸体７による十分な保持力で本体軸部２に固定されているので、簡単には本体軸部２から外れない。因みに、この簡易鉛筆１は、レース終了後に用済みとなるが、消しゴム４がその日の全てのレースで頻繁に使用されたとしても消しゴム４が本体軸部２から外れない程度に十分な保持力を備えている。
そして、上記のように記入ミスの部分が消しゴム４で消されたマークシートには、あらためて正しい内容が鉛筆芯３で記入される。これにより、上質紙でできているマークシートを捨てずに済み、資源の無駄を省くことができる。
【００１７】
尚、上記の実施形態では、ひとつの返し突起８を軸体７に設けた例を示したが、本発明はそれに限定されるものでなく、図４に示す簡易鉛筆１ａのように、例えば傘状に形成された２つの返し突起１２，１３を軸体７に設けたものでもよい。これらの返し突起１２，１３は適宜の間隔で上下離間して配置することが望ましい。上側の返し突起１２は前記した簡易鉛筆１の返し突起８と同様の形状に形成されている。使用される消しゴム４も簡易鉛筆１のものと同じである。
かかる簡易鉛筆１ａによれば、返し突起１２よりも下の竪穴１１内周面と、返し突起１３よりも下の竪穴１１内周面といった上下２ヶ所が、返し突起１２の外端１２ａおよび返し突起１３の外端１３ａに掛止されるので、消しゴム４を固定する保持力が既述した簡易鉛筆１の場合よりも高くなり、消しゴム４は本体軸部２からいっそう外れにくくなる。
【００１８】
また、図５に示すような簡易鉛筆１ｂも本発明に含まれる。すなわち、簡易鉛筆１ｂでは、軸体７の外周面に軸径方向外向きに突出した螺旋状の返し突起１４が形成されている。かかる返し突起１４の外端１４ａは斜め下向きに尖っている。
この簡易鉛筆１ｂで使用される消しゴム４も簡易鉛筆１のものと同じである。軸体７を消しゴム４の竪穴１１にあてがい、消しゴム４を回しながら軸体７を竪穴１１に挿入すると、返し突起１４の螺旋形状に沿って消しゴム４がねじ込まれて固定される。無論、消しゴム４を回すことなく真っ直ぐ挿し込んでも、消しゴム４の弾性変形により軸体７および突起１４を竪穴１１の奥まで差し込むことは可能である。
かかる簡易鉛筆１ｂによれば、返し突起１４の螺旋長全体が前記した返し突起８の周長、または返し突起１２および返し突起１３の合計周長よりも長いので、本体軸部２に消しゴム４を固定する保持力が簡易鉛筆１，１ａよりも高くなり、消しゴム４をよりいっそう本体軸部２から外れにくくすることができる。
【００１９】
尚、上記した簡易鉛筆１，１ａ，１ｂにおいて、返し突起８，１２，１３，１４は軸体７の全周に連続して形成したものを例示したが、分割した複数の返し突起を軸体７の周方向に適宜の間隔で設けても構わない。また、簡易鉛筆１，１ａ，１ｂにおいて、軸体７の上端に少量の接着剤を付けておけば、より確実に固定することができ、周囲を汚すこともない。
【００２０】
ところで、マークシートと異なり、ゴルフ場のスコアカードは文字（数字）を記入するので、書き間違ってもその傍に正しい文字を記入すれば済む。その場合でも、簡易鉛筆１，１ａ，１ｂの消しゴム４を使って誤記を訂正すれば、きれいに記入したスコアカードを提出することができる。
【図面の簡単な説明】
【００２１】
【図１】本発明の一実施形態に係る簡易鉛筆を示す正面図である。
【図２】前記簡易鉛筆の側断面図である。
【図３】前記簡易鉛筆の組立斜視図である。
【図４】本発明の別の実施形態に係る簡易鉛筆の要部を示す部分側面図である。
【図５】本発明の他の実施形態に係る簡易鉛筆の要部を示す部分側面図である。
【図６】従来汎用の簡易鉛筆を示す正面図である。
【図７】競輪投票用のマークシートおよび記入例を示す図である。
【符号の説明】
【００２２】
１，１ａ，１ｂ  簡易鉛筆
２    本体軸部
３    鉛筆芯
４    消しゴム
６    上面
７    軸体
８，１２，１３，１４  返し突起
１０  下面
１１  竪穴
【図１】
2005131793.tif 000003
【図２】
2005131793.tif 000004
【図３】
2005131793.tif 000005
【図４】
2005131793.tif 000006
【図５】
2005131793.tif 000007
【図６】
2005131793.tif 000008
【図７】
2005131793.tif 000009